(57)【要約】【課題】取っ手の機能を減少させることなく、隣接するパチンコ台の飾り部分を損傷させない取っ手付きの台間玉貸し機を提供する。【解決手段】取っ手１ａが前方に突出する台間玉貸し機１において、取っ手１ａを、後方側への押圧力イ，ロを受けたときに、ばね１ｅに生じる復元力ハに逆らって後退するように構成する。取っ手１ａを、常時は正規の突出位置に保持させることにより、その突出長を短縮せず、取っ手の本来の機能を保持できる構成とする。【選択図】　　　　図１
2004049547.tif 000002
【特許請求の範囲】
【請求項１】
取っ手が前方に突出する台間玉貸し機において、前記取っ手は、常時は正規の突出位置に保持され、後方側への押圧力を受けることにより、弾性体に生じる復元力に抗して後退するように構成されたことを特徴とする台間玉貸し機。
【請求項２】
取っ手の突出端側部分の少なくとも外周側が弾性材によって被覆されていることを特徴とする請求項１に記載の台間玉貸し機。
【発明の詳細な説明】
【０００１】
【発明の属する技術分野】
本発明は、パチンコ遊技場のパチンコ台列において、隣接する左右のパチンコ台の間に設置される台間玉貸し機、特に取っ手が前方に突出する台間玉貸し機に関するものである。
【０００２】
【従来の技術】
近年、パチンコ遊技場のパチンコ台列においては、図３に示すように、隣接する左右のパチンコ台３１，３１の間にパチンコ球を貸し出す台間玉貸し機１が設置されている。これによれば、遊技者は着席したままパチンコ球の貸し出しを受けることができ、遊技場、遊技者の双方にとって便利である。
【０００３】
ところで、このような台間玉貸し機１は、重量が比較的重いにも拘わらず、パチンコ台３１の設置スペースを侵食させないために、左右幅の極めて薄い形状とされている。したがって、これをパチンコ台３１，３１間の狭いスペースに差し込み、設置する作業の便宜のために、玉貸し機前方（パチンコ島通路側）に突出するＵ字状の堅固な取っ手１ａが上下方向に一対、適宜間隔を置いて取り付けられている。
この取っ手１ａはＵ字状であることから、本来の取っ手１ａとしての役割に加え、最近ではそのＵ字状の突出部分にストラップを結び、携帯電話の吊下げ具としても利用されている。また、台間玉貸し機１の前面には、プリペイドカードが使用できることを表示する「点灯中カード使用可」等と記されたランプレンズ１ｂが突設されているが、取っ手１ａはこのようなランプレンズ１ｂのガードとしても機能している。なお、図３中の１ｃはプリペイドカード挿入口である。
【０００４】
【発明が解決しようとする課題】
しかしながら上述従来の台間玉貸し機１では、次のような問題があった。
すなわち、図４の側面図に示すように、パチンコ台３１のガラス枠や前面枠等の前面側枠体３１ａの前面には、豪華さを増す等の理由で前方に膨らみをもった飾り３１ｂを施すことが少なくない。
【０００５】
従来の台間玉貸し機１は、通常の遊技時には何ら問題を生じさせないが、遊技中、玉詰まり等の不具合が生じ、その処置のために、前面側枠体３１ａを図５に示すように開放すると、その飾り３１ｂの一部３１ｃを傷付けてしまった。前面側枠体３１ａの開放時に、取っ手１ａの突出端部分１ｄが飾り３１ｂの一部３１ｃに当たるためである。前面側枠体３１ａは、パチンコ台３１の保守、点検時にも開放されることがあるので、このような時にも、上記飾り３１ｂの一部３１ｃを取っ手１ａの突出端部分１ｄで傷付けてしまった。そして、このようなことが繰り返されることにより、飾り３１ｂ、特にその一部３１ｃの美観を著しく損なわせるという問題があった。
【０００６】
このような問題に対しては、取っ手１ａの突出長を短くすることが考えられるが、これによると、本来の取っ手１ａとしての機能を減少させ、また、飾り３１ｂが、取っ手１ａに代え、それよりも大きなランプレンズ１ｂに当たるという弊害も生じることから採用し得なかった。
【０００７】
本発明は、上記のような実情に鑑みなされたもので、本来の取っ手の機能を減少させることなく、前面側枠体の飾り部分を傷付けることのない台間玉貸し機を提供することを目的とする。
【０００８】
【課題を解決するための手段】
上記目的を達成するために、請求項１に記載の発明は、取っ手が前方に突出する台間玉貸し機において、前記取っ手は、常時は正規の突出位置に保持され、後方側への押圧力を受けることにより、弾性体に生じる復元力に抗して後退するように構成されたことを特徴とする。
【０００９】
請求項２に記載の発明は、請求項１に記載の発明において、取っ手の突出端側部分の少なくとも外周側が弾性材によって被覆されていることを特徴とする。
【００１０】
【発明の実施の形態】
以下、本発明の実施の形態を図面に基づき説明する。
図１及び図２は、各々本発明による台間玉貸し機の取っ手部分を示す図で、図１は通常時の取っ手の状態、図２は最も後方側へ押圧されたときの取っ手の状態を示す。各図において、（ａ）は平面図、（ｂ）は左側面図である。
すなわち台間玉貸し機１の取っ手１ａは、常時は正規の突出位置（図１に示す位置）に保持され、後方側（矢印イ方向）［斜め後方側（矢印ロ方向）を含む。］への押圧力を受けることにより、弾性体、例えばコイルばね１ｅに生じる矢印ハ方向の復元力に抗して後退（矢印イ方向に移動）するように構成されている。
【００１１】
この例では、取っ手１ａは、Ｕ字状に形成され、コイルばね１ｅの後端に、取っ手後端部に跨って固着された取っ手裏板１ｉを介して係合されている。コイルばね１ｅの前端は、玉貸し機筐体の前面部裏面１ｆに固着されたガイド板１ｇの前端部１ｈに係合されている。
このコイルばね１ｅは、取っ手１ａを、上記押圧力が与えられていない状態において本来の取っ手１ａとしての役割を果たせるように、図１に示す、最も前方に突出した位置に保持させる。
なお詳細を図示しないが、取っ手１ａは、上記のように最も前方に突出した位置に保持されている状態で、その内方に指を挿入し引き上げ作業等をしても、図１に示す構成を維持したまま台間玉貸し機重量に耐え得るように構成されている。
上記ガイド板１ｇは、取っ手１ａの進退動（前進後退移動）を案内すると共に、この進退動を可能とする距離（進退動可能距離）Ｌ１を規定する。進退動可能距離Ｌ１は、具体的にはガイド板１ｇの前端部１ｈと、これに対向する後端部１ｊとの距離や、コイルばね１ｅの長さ等の設定に依存する。
【００１２】
このような取っ手１ａを備えた台間玉貸し機において、いま、何らかの理由により、隣接するパチンコ台３１の前面側枠体３１ａ（共に図５参照）が開放され、その飾り３１ｂ（同図参照）が上記取っ手１ａの突出端側部分に当たった場合について述べる。
この場合、取っ手１ａは、上記飾り３１ｂが当たり、図１中、矢印イあるいはロ方向に押圧されるに従い、コイルばね１ｅの復元力に抗して後退（矢印イ方向に移動）し、上記飾り３１ｂが当たった時の力を吸収する。この作用は、図２に示す後退限界位置まで働く。したがって、取っ手１ａの突出長を短くすることなく、換言すれば取っ手１ａの本来の機能を減少させずに、上記飾り３１ｂを傷付けることを防止できる。
【００１３】
この間、コイルばね１ｅは引き延ばされ、復元力が生じているので、取っ手１ａは、上記前面側枠体３１ａが閉じられると、自動復帰（前進）し、図１に示す、最も前方に突出した通常時の位置に戻る。
すなわち取っ手１ａは、その内方に指を挿入して引き上げ作業等ができる状態に戻り、本来の取っ手１ａとしての役割を失うことがなく、また、その他の諸機能を減少させることもない。
【００１４】
なお図１、図２中に２点鎖線で示すように、取っ手１ａの突出端側部分の少なくとも外周側を各種ゴム材等の弾性材１ｋによって被覆すれば、飾り３１ｂ（図５参照）が取っ手１ａの突出端部分１ｄに当たったときの力を更に緩衝できる。図示例では、取っ手１ａの突出端部分１ｄのほぼ全周に弾性材１ｋを被覆した例を示す。
上述実施例では、取っ手１ａの形状をＵ字状に形成したが、これのみに限定されることはなく、例えばＪ字状に形成してもよい。
なお、上掲図において、同一符号は同一又は相当部分を示す。
【００１５】
【発明の効果】
以上述べたように請求項１の発明によれば、台間玉貸し機の取っ手を、常時は正規の突出位置に保持させ、後方側への押圧力を受けることにより、弾性体に生じる復元力に抗して後退するように構成したので、本来の取っ手としての役割やその他の機能を減少させることなく、隣接するパチンコ台の前面側枠体の飾り部分の損傷を防止できる。
【００１６】
請求項２の発明によれば、取っ手の突出端側部分の外周側を弾性材によって被覆したので、上記飾り部分の損傷をより効果的に防止できる。
【図面の簡単な説明】
【図１】本発明による台間玉貸し機の一実施形態の取っ手部分を通常の状態において示す図である。
【図２】同上取っ手部分を押圧された状態において示す図である。
【図３】パチンコ遊技場における台間玉貸し機の設置の様子を示す図である。
【図４】前面側枠体の前面に飾りが施されたパチンコ台の部分側面図である。
【図５】前面側枠体の飾りが台間玉貸し機の取っ手によって損傷される様子を示す図である。
【符号の説明】
１　台間玉貸し機
１ａ　取っ手
１ｅ　コイルばね（弾性体）
１ｋ　弾性材
【図１】
2004049547.tif 000003
【図２】
2004049547.tif 000004
【図３】
2004049547.tif 000005
【図４】
2004049547.tif 000006
【図５】
2004049547.tif 000007